【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
Ｗｅｂブラウズが可能な情報端末が送信したｈｔｍｌファイルを要求するリクエストを受信するリクエスト受信手段と、
このリクエスト受信手段により受信されたリクエストを送信した情報端末である処理対象情報端末が備えるディスプレイの横方向の画素数を特定する画素数特定手段と、
前記リクエスト受信手段によって受信された前記リクエストにて要求されているｈｔｍｌファイルを、それを保持しているＷｅｂサーバから取得する取得手段と、
この取得手段で取得されたｈｔｍｌファイルと、前記画素数特定手段によって特定された画素数とに基づき、当該ｈｔｍｌファイルの特定のディスプレイへの表示結果とほぼ相似な表示結果を前記処理対象端末において得るための情報端末用ｈｔｍｌファイルを作成するｈｔｍｌファイル作成手段と、
このｈｔｍｌファイル作成手段で作成された情報端末用ｈｔｍｌファイルを、前記処理対象情報端末に返送するｈｔｍｌファイル返送手段と
を備えることを特徴とするＷｅｂアクセス支援装置。
【請求項２】
前記ｈｔｍｌファイル作成手段は、前記ｈｔｍｌファイル内の表示サイズを指定している各値を変更することによって、前記情報端末用ｈｔｍｌファイルを作成する
ことを特徴とする請求項１記載のＷｅｂアクセス支援装置。
【請求項３】
前記ｈｔｍｌファイル作成手段は、前記ｈｔｍｌファイルがその表示に１つ以上の画像ファイルを必要とするものであった場合には、当該１つ以上の画像ファイルのそれぞれについて、その画像ファイルにて規定されている画像を縮小した画像を規定する縮小画像ファイルを用意するとともに、用意した縮小画像ファイルが用いられるように前記ｈｔｍｌファイルの内容を書き換えることによって、前記情報端末用ｈｔｍｌファイルを作成する
ことを特徴とする請求項１又は請求項２記載のＷｅｂアクセス支援装置。
【請求項４】
前記ｈｔｍｌファイル作成手段は、前記取得手段で取得されたｈｔｍｌファイルと前記画素数特定手段によって特定された画素数とに基づき、横方向の画素数が所定値であるディスプレイへの当該ｈｔｍｌファイルの表示結果とほぼ相似な表示結果を前記処理対象端末において得るための縮小率を決定して、前記該ｈｔｍｌファイルの全体を当該縮小率で縮小表示した結果を表す画像ファイルと、前記ｈｔｍｌファイル内のリンク先が指定されている１つ以上の要素を前記縮小率で縮小表示した結果を表す１つ以上の画像ファイルとを用意し、それらの画像ファイルが組み合わされて表示が行なわれる情報端末用ｈｔｍｌファイルを作成する
ことを特徴とする請求項１記載のＷｅｂアクセス支援装置。
【請求項５】
ｈｔｍｌファイルを記憶するためのｈｔｍｌファイル記憶手段と、
Ｗｅｂブラウズが可能な情報端末が送信したｈｔｍｌファイルを要求するリクエストを受信するリクエスト受信手段と、
このリクエスト受信手段により受信されたリクエストが前記ｈｔｍｌファイル記憶手段に記憶されているｈｔｍｌファイルを要求するものであった場合に、そのｈｔｍｌファイルを前記ｈｔｍｌファイル記憶手段から読み出して当該リクエストを送信した情報端末に返送する第１リクエスト応答手段と、
前記リクエスト受信手段により受信されたリクエストが前記ｈｔｍｌファイル記憶手段に記憶されていないｈｔｍｌファイルを要求するものであった場合に、そのｈｔｍｌファイルをＷｅｂサーバから取得するとともに、取得したｈｔｍｌファイルで規定されている表示内容を分割して表示させるための、相互にリンクされた複数のｈｔｍｌファイルを作成して、前記ｈｔｍｌファイル記憶手段に記憶するｈｔｍｌファイル作成手段と、
このｈｔｍｌファイル作成手段で作成された特定のｈｔｍｌファイルを、前記リクエスト受信手段によって受信された前記リクエストを送信した情報端末に返送する第２リクエスト応答手段と
を備えることを特徴とするＷｅｂアクセス支援装置。
【請求項６】
前記ｈｔｍｌファイル作成手段は、前記リクエストを送信した情報端末が備えるディスプレイの縦方向の画素数を特定し、特定した画素数と前記リクエストにて要求されているｈｔｍｌファイルとに基づき、それぞれ、当該情報端末のディスプレイにその全てが表示される複数のｈｔｍｌファイルを作成する
ことを特徴とする請求項５記載のＷｅｂアクセス支援装置。
【請求項７】
Ｗｅｂページのブラウズ機能を有する複数の情報端末、複数のＷｅｂサーバ、及び、Ｗｅｂアクセス支援装置とを含むネットワークシステムであって、
前記Ｗｅｂアクセス支援装置は、
前記複数の情報端末のいずれかが送信した、ｈｔｍｌファイルを要求するリクエストを受信するリクエスト受信手段と、
このリクエスト受信手段により受信されたリクエストを送信した情報端末である処理対象情報端末が備えるディスプレイの横方向の画素数を特定する画素数特定手段と、
前記リクエスト受信手段によって受信された前記リクエストにて要求されているｈｔｍｌファイルを、前記複数のＷｅｂサーバのいずれかから取得するｈｔｍｌファイル取得手段と、
このｈｔｍｌファイル取得手段で取得されたｈｔｍｌファイルと、前記画素数特定手段によって特定された画素数とに基づき、当該ｈｔｍｌファイルの特定のディスプレイへの表示結果とほぼ相似な表示結果を前記処理対象端末において得るための情報端末用ｈｔｍｌファイルを作成するｈｔｍｌファイル作成手段と、このｈｔｍｌファイル作成手段で作成された情報端末用ｈｔｍｌファイルを、前記処理対象情報端末に返送するｈｔｍｌファイル返送手段と
を備える
ことを特徴とするネットワークシステム。
【請求項８】
Ｗｅｂページのブラウズ機能を有する複数の情報端末、複数のＷｅｂサーバ、及び、Ｗｅｂアクセス支援装置とを含むネットワークシステムであって、
前記Ｗｅｂアクセス支援装置は、
ｈｔｍｌファイルを記憶するためのｈｔｍｌファイル記憶手段と、
前記複数の情報端末のいずれかが送信した、ｈｔｍｌファイルを要求するリクエストを受信するリクエスト受信手段と、
このリクエスト受信手段により受信されたリクエストが前記ｈｔｍｌファイル記憶手段に記憶されているｈｔｍｌファイルを要求するものであった場合に、そのｈｔｍｌファイルを前記ｈｔｍｌファイル記憶手段から読み出して当該リクエストを送信した情報端末に返送する第１リクエスト応答手段と、
前記リクエスト受信手段により受信されたリクエストが前記ｈｔｍｌファイル記憶手段に記憶されていないｈｔｍｌファイルを要求するものであった場合に、そのｈｔｍｌファイルを前記複数のＷｅｂサーバのいずれかから取得して、取得したｈｔｍｌファイルで規定されている表示内容を分割して表示させるための、相互にリンクされた複数のｈｔｍｌファイルを作成して、前記ｈｔｍｌファイル記憶手段に記憶するｈｔｍｌファイル作成手段と、
このｈｔｍｌファイル作成手段で作成された特定のｈｔｍｌファイルを、前記リクエスト受信手段によって受信された前記リクエストを送信した情報端末に返送する第２リクエスト応答手段と
を備える
ことを特徴とするネットワークシステム。
【請求項９】
Ｗｅｂブラウズが可能な情報端末が送信したｈｔｍｌファイルを要求するリクエストを受信するリクエスト受信手段と、
前記リクエスト受信手段によって受信された前記リクエストにて要求されているｈｔｍｌファイルを、それを保持しているＷｅｂサーバから取得する取得手段と、
この取得手段で取得されたｈｔｍｌファイルに対して、表示される文字のサイズを変更するための処理を施した情報端末用ｈｔｍｌファイルを作成するｈｔｍｌファイル作成手段と、
このｈｔｍｌファイル作成手段で作成された情報端末用ｈｔｍｌファイルを、前記処理対象情報端末に返送するｈｔｍｌファイル返送手段と
を備えることを特徴とするＷｅｂアクセス支援装置。
【請求項１０】
Ｗｅｂブラウズが可能な情報端末が送信したｈｔｍｌファイルを要求するリクエストを受信するリクエスト受信手段と、
前記リクエスト受信手段によって受信された前記リクエストにて要求されているｈｔｍｌファイルを、それを保持しているＷｅｂサーバから取得する取得手段と、
この取得手段で取得された、その表示時に１つ以上の画像ファイルを必要とするｈｔｍｌファイルに基づき、その表示時に、前記１つ以上の画像ファイルの代わりに各画像ファイルを縮小した縮小画像ファイルが利用されることになる情報端末用ｈｔｍｌファイルを作成するｈｔｍｌファイル作成手段と、
このｈｔｍｌファイル作成手段で作成された情報端末用ｈｔｍｌファイルを、前記処理対象情報端末に返送するｈｔｍｌファイル返送手段と
を備えることを特徴とするＷｅｂアクセス支援装置。